(57)【要約】【課題】  装置内部の構造が簡略化され、部品点数が少なく、強度、耐久性及び信頼性に優れた巻取装置を提供すること。【解決手段】  本発明は、紐を巻き取るためのドラム４と、当該ドラム４を収納する有底円筒状のドラム収納部３３を備えたベース部材３と、前記ドラム収納部３３の外周面部に形成された環状ギヤ３６と、前記ドラム４と同一の回転中心を有する位置に配置されて物理的に連結されることで当該ドラム４を回転駆動することができるダイヤル５と、前記ダイヤル５の下面と一体化され、前記環状ギヤ３６と係合する爪と、を備え、前記環状ギヤ３６と前記爪によって前記ダイヤル５の回転を制御することができることを特徴とする巻取装置１である。【選択図】図１
2018121920.tif 000002
【特許請求の範囲】
【請求項１】
紐を巻き取るためのドラムと、
当該ドラムを収納する有底円筒状のドラム収納部を備えたベース部材と、
前記ドラム収納部の外周面部に形成された環状ギヤと、
前記ドラムと同一の回転中心を有する位置に配置されて物理的に連結されることで当該ドラムを回転駆動することができるダイヤルと、
前記ダイヤルの下面と一体化され、前記環状ギヤと係合する爪と、
を備え、
前記環状ギヤと前記爪によって前記ダイヤルの回転を制御することができることを特徴とする巻取装置。
【請求項２】
前記爪は、前記ドラム収納部を構成する円筒状の環状壁と同一中心円上に配置した弧状のバネ部から内側に向けて突出するように設けられているものである請求項１に記載の巻取装置。
【請求項３】
前記環状ギヤは、鋸歯状に形成されており、前記爪と係合することでラチェットを構成して前記ダイヤルを一方向にのみ回転可能とするものである請求項２に記載の巻取装置。
【請求項４】
前記ダイヤルと前記ドラムとの物理的な連結は、前記ダイヤルの下面に設けたダイヤル歯と、前記ドラムの上面に設けたドラム歯との係合によって得られるものであり、かつ、前記ダイヤルを前記ドラムから離れる方向に移動させることで当該物理的な連結が解除されるものである請求項１に記載の巻取装置。
【請求項５】
前記ダイヤルは、前記弧状のバネ部の可動範囲の外側を囲うように形成した環状のスカート部を備えているものである請求項２に記載の巻取装置。
【発明の詳細な説明】
【技術分野】
【０００１】
本発明は、紐を巻き取ることができる巻取装置に関するものであって、例えば、ゴルフやジョギングなどに使用する運動靴の他、各種の靴の紐を締め付けたり、鞄を閉じる紐を締め付けたり、身体に装着する保護具の紐を締め付けたり、帽子の紐などを締め付けるのに適した巻取装置に関するものである。
【背景技術】
【０００２】
従来、紐を締め付けるのに適した巻取装置として、ダイヤル（円盤状のつまみ）を回転することによってドラムに対して紐を巻き付けることができ、ダイヤルを操作することによってダイヤルとドラムとの係合状態を解除して紐の締め付けを解除することができる巻取装置が提案されている（特許文献１〜３０）。
【０００３】
従来の巻取装置において、有底円筒状に形成されているドラム収納部の内周面に環状ギヤが形成されている場合には、ドラム収納部内に異物が入った場合に誤作動を起こすおそれがあったり、環状ギヤに損傷が生じてもそれを外部から見ることができないという問題がある。
さらに、従来の巻取装置において、ドラム収納部の内周面に環状ギヤが形成されている場合には、ドラムの逆回転を防ぐために環状ギヤと噛み合う爪や、ドラムの逆回転を許容するためにダイヤル位置を制御するための機構を環状ギヤの内側の狭いスペースに収める必要があり、構造が複雑化したり、強度や耐久性を確保することが難しいという問題があった。
【０００４】
また、従来の巻取装置において、ドラム収納部より上方位置に環状ギヤが形成されていると、巻取装置の上下方向のサイズが大きくなってしまうという問題がある。
従来の巻取装置において、ドラム収納部の側方に環状ギヤが形成されている場合においては、巻取装置の横方向のサイズが大きくなってしまうという問題がある。
【先行技術文献】
【特許文献】
【０００５】
【特許文献１】特開２０１５−２９３号公報
【特許文献２】特開２０１５−２９７号公報
【特許文献３】特表２００８−５２５０５２号公報
【特許文献４】国際公開特許  ＷＯ２００６／０５０２６６号公報
【特許文献５】国際公開特許  ＷＯ２００４／１１０１９７号公報
【特許文献６】特表２００３−５０８０９７号公報
【特許文献７】国際公開特許  ＷＯ０１／１５５５９号公報
【特許文献８】国際公開特許  ＷＯ２０１５／０３５８８５号公報
【特許文献９】特表２０１６−５３２８４１号公報
【特許文献１０】国際公開特許  ＷＯ２０１５／０３９０５２号公報
【特許文献１１】米国特許第７９５４２０４号明細書
【特許文献１２】特表２０１６−５２５３９３号公報
【特許文献１３】特開２０１０−１４８９２７号公報
【特許文献１４】特開２０１６−３６６７９号公報
【特許文献１５】国際公開特許  ＷＯ２０１５／００６６１６号公報
【特許文献１６】国際公開特許  ＷＯ２０１５／００３０７９号公報
【特許文献１７】特表２０１６−５２０４０１号公報
【特許文献１８】国際公開特許  ＷＯ２０１４／１９７７２１号公報
【特許文献１９】国際公開特許  ＷＯ２０１４／０７４６４５号公報
【特許文献２０】特表２０１３−５２５００７号公報
【特許文献２１】国際公開特許  ＷＯ２０１１／１３７４０５号公報
【特許文献２２】国際公開特許  ＷＯ２０１４／０４７８０８号公報
【特許文献２３】国際公開特許  ＷＯ２０１０／０５９９８９号公報
【特許文献２４】実用新案登録第３１５９６２０号公報
【特許文献２５】国際公開特許  ＷＯ９９／０９８５０号公報
【特許文献２６】特表２００１−５１３３７９号公報
【特許文献２７】国際公開特許  ＷＯ２０１３／１３８７５９号公報
【特許文献２８】特表２０１５−５１６８２８号公報
【特許文献２９】国際公開特許  ＷＯ２０１２／００３３９６号公報
【特許文献３０】特表２０１３−５３００２３号公報
【特許文献３１】特願２０１６−７５３７４
【特許文献３２】特願２０１６−１５７５９４
【発明の概要】
【発明が解決しようとする課題】
【０００６】
本発明が解決しようとする課題は、ドラム収納部の内周面に環状ギヤが形成されている巻取装置に伴う上記の問題を解決することにあり、本発明の目的は、巻取装置の内部構造を簡略化するとともに、強度、耐久性及び信頼性を高め、メンテナンスの手間を軽減することができる巻取装置を提供することにある。
【課題を解決するための手段】
【０００７】
（１）本発明は、「紐を巻き取るためのドラムと、当該ドラムを収納する有底円筒状のドラム収納部を備えたベース部材と、前記ドラム収納部の外周面部に形成された環状ギヤと、前記ドラムと同一の回転中心を有する位置に配置されて物理的に連結されることで当該ドラムを回転駆動することができるダイヤルと、前記ダイヤルの下面と一体化され、前記環状ギヤと係合する爪と、を備え、前記環状ギヤと前記爪によって前記ダイヤルの回転を制御することができる巻取装置」を最も主要な特徴とするものである。
【０００８】
（２）本発明の巻取装置において、前記爪は、前記ドラム収納部を構成する円筒状の環状壁と同一中心円上に配置した弧状のバネ部から内側に向けて突出するように設けられているものであってもよい。
（３）本発明の巻取装置において、前記環状ギヤは、鋸歯状に形成されており、前記爪と係合することでラチェットを構成して前記ダイヤルを一方向にのみ回転可能とするものであってもよい。
【０００９】
（４）本発明の巻取装置において、前記ダイヤルと前記ドラムとの物理的な連結は、前記ダイヤルの下面に設けたダイヤル歯と、前記ドラムの上面に設けたドラム歯との係合によって得られるものであり、かつ、前記ダイヤルを前記ドラムから離れる方向に移動させることで当該物理的な連結が解除されるものであってもよい。
（５）本発明の巻取装置において、前記ダイヤルは、前記弧状のバネ部の可動範囲の外側を囲うように形成した環状のスカート部を備えているものであってもよい。
【発明の効果】
【００１０】
（１）上記のように構成した本発明の巻取装置においては、環状ギヤの内側に配置される装置の構造を簡素化して装置の強度、耐久性及び信頼性などを高めることができ、また、環状ギヤの状態を外部から確認することもできるため、メンテナンスの手間を軽減することができる巻取装置を提供することができる。
さらに、複雑な成形加工を不要とし、巻取装置の部品点数を減少させることも可能となる。
【００１１】
（２）本発明の巻取装置において、前記爪が、前記ドラム収納部を構成する円筒状の環状壁と同一中心円上に配置した弧状のバネ部から内側に向けて突出するように設けられている場合には、爪を環状ギヤに向けて付勢するとともに、環状ギヤの歯をスムーズかつ確実に乗り越える構造を簡単に得ることができる。
また、ダイヤルの径方向のサイズを大きくすることなくダイヤル内のスペースを有効活用してバネ部を配置することができる。
（３）本発明の巻取装置において、前記環状ギヤが鋸歯状に形成されており、前記爪と係合することでラチェットを構成して前記ダイヤルを一方向にのみ回転可能とするものとした場合には、紐を締め付ける操作を確実に行うことができる。
また、ダイヤルの逆回転を防止することで、巻取装置を装着した各種物品の信頼性を向上させることができる。
【００１２】
（４）本発明の巻取装置において、前記ダイヤルと前記ドラムとの物理的な連結が、前記ダイヤルの下面に設けたダイヤル歯と、前記ドラムの上面に設けたドラム歯との係合によって得られるものであり、かつ、前記ダイヤルを前記ドラムから離れる方向に移動させることで当該物理的な連結が解除されるものである場合には、紐による締め付けの解除を簡単かつスムーズに行うことができ、さらにはダイヤルとドラムを上下に並べることで構造を簡素化することができる。
従って、装置をコンパクト化することができ、部品点数を減少させ、かつ、装置の信頼性を高めることができる。
（５）本発明の巻取装置において、前記ダイヤルが、前記弧状のバネ部の可動範囲の外側を囲うように形成した環状のスカート部を備えているものである場合には、当該スカート部によって環状ギヤとバネ部を保護することができ、装置の外観を向上させ、また、ダイヤルの操作性を高めることができる。
【図面の簡単な説明】
【００１３】
【図１】図１は本発明を具体化した一実施形態の巻取装置の分解斜視図である。
【図２】図２は本発明を具体化した一実施形態の巻取装置を装着した靴を示す側面図である。
【図３】図３は本発明を具体化した一実施形態の巻取装置のベース部材を示し、（Ａ）は平面図、（Ｂ）は正面図である。
【図４】図４は本発明を具体化した一施形態の巻取装置のドラムを示し、（Ａ）は上面側の斜視図、（Ｂ）は下面側の斜視図、（Ｃ）は平面図、（Ｄ）は側面図、（Ｅ）は正面図、（Ｆ）は底面図、（Ｇ）は紐の一端部を固定した状態を示す斜視図である。
【図５】図５は本発明を具体化した一実施形態の巻取装置のダイヤルを示し、（Ａ）は平面図、（Ｂ）は側面図、（Ｃ）は底面図、（Ｄ）は上面側を示す斜視図、（Ｅ）は下面側の斜視図である。
【図６】図６は本発明を具体化した一実施形態の巻取装置のダイヤルを下げた状態を示し、（Ａ）は平面図、（Ｂ）は側面図、（Ｃ）は正面図、（Ｄ）は斜視図である。
【図７】図７は本発明を具体化した一実施形態の巻取装置のダイヤルを引き上げた状態を示し、（Ａ）は平面図、（Ｂ）は側面図、（Ｃ）は正面図、（Ｄ）は斜視図である。
【図８】図８は本発明を具体化した一実施形態の巻取装置のダイヤルを下げた状態を示す図であって、図６におけるＸ−Ｘ線の断面図である。
【図９】図９は本発明を具体化した一実施形態の巻取装置のダイヤルを引き上げた状態を示す図であって、図７におけるＹ−Ｙ線の断面図である。
【発明を実施するための形態】
【００１４】
本発明は、「紐を巻き取るためのドラムと、当該ドラムを収納する有底円筒状のドラム収納部を備えたベース部材と、前記ドラム収納部の外周面部に形成された環状ギヤと、前記ドラムと同一の回転中心を有する位置に配置されて物理的に連結されることで当該ドラムを回転駆動することができるダイヤルと、前記ダイヤルの下面と一体化され、前記環状ギヤと係合する爪と、備え、前記環状ギヤと前記爪によって前記ダイヤルの回転を制御することができる巻取装置」であって、以下において説明する実施形態などにより好適に具体化することができる。
【００１５】
本発明を具体化した一実施形態の巻取装置１は、図１〜図９に示すように、靴Ｓの甲部を締め付けるための紐である靴紐２を巻き取ることができるものであり、ベース部材３と、前記靴紐２を巻き取るためのドラム４と、当該ドラム４を回転駆動するための略円盤状のダイヤル５と、当該ダイヤル５を前記ベース部材３に装着するために前記ベース部材３に対して回転自在に固定される軸部材６と、当該軸部材６にて一端部が軸支されたバネ部材７と、ネジ８などから構成されている。
【００１６】
前記靴紐２としては、直径０．１１〜０．１３ｍｍのステンレス製の素線を複数本撚り合わせたワイヤーロープにスウェージングマシンにて加工を加え、ナイロン樹脂にて被覆したワイヤー状の靴紐２を好適に用いることができる。
なお、本発明の巻取装置のために使用できる紐としては、柔軟性、強度、耐摩耗性に優れ、さらには、解れたり絡んだりし難い滑らかな表面を有する紐が適しており、例えば、上記のように樹脂被覆された金属製のワイヤーからなる紐や、ナイロン樹脂などからなる樹脂製の紐（モノフィラメントのもの及びマルチフィラメントのものを含む）を使用することができる。
【００１７】
前記ベース部材３は、薄板状のフランジ３１が、前記ドラム４を回転可能に収納するために円筒状に形成された環状壁３２の周囲から外方へ突出するように形成されることで全体が一体成形されており、当該フランジ３１が、前記靴Ｓに縫い付け固定されることなどによって巻取装置１を靴Ｓに固定することができるようになっている。
前記環状壁３２の内側に設けられる有底円筒状のドラム収納部３３は、その底部中央に前記ドラム４を軸支するための回転軸３４が突設されている。
また、前記ドラム収納部３３の底部には、前記環状壁３２を貫通するように紐出口３５が２箇所形成されている。
【００１８】
前記環状壁３２の外周には、当該環状壁３２から径方向外側に向けて突出する複数個の突条からなる歯３６ａによって環状ギヤ３６が形成されている。従って、この環状ギヤ３６は、ドラム４の設置位置と同じ高さ位置まで下げることが構造上可能となり、巻取装置１の上下方向のサイズを小さくすることが可能となる。
前記環状ギヤ３６を構成する個々の歯３６ａは、前記環状壁３２の中心線（軸心方向）に沿って延びており、かつ、先端部に鋭角状の頂点を有する三角形状の水平方向断面を有している。
【００１９】
前記ドラム４は、靴紐２を巻き取って保持するための紐巻取部４１と、当該紐巻取部４１の内側に配置された円筒状の回転軸部４２を有している。そして、当該ドラム４の上下両面には、前記紐巻取部４１と前記回転軸部４２との間に環状に形成された凹部４３を有している。
前記回転軸部４２には、前記ベース部材３の前記回転軸３４が挿入され、前記ドラム収納部３３内にて前記ドラム４が回転可能となっている。
【００２０】
前記ドラム４の下側に形成された前記凹部４３は、前記ドラム収納部３３の内底部に面しており、２個の係止突起４４を当該凹部４３内に備えている。
そして、前記紐巻取部４１に形成した複数個の紐挿通孔４５から前記凹部４３内に導入される靴紐２の先端部を前記係止突起４４を利用して挟み込んで、当該凹部４３内に保持できるようになっている。
一方、前記ドラム４の上面側に形成された前記凹部４３には、その外側の内周面に沿ってドラム歯４６が複数個突出形成されている。
【００２１】
前記ダイヤル５は、前記ドラム４と同一の回転中心を有する位置に配置されて物理的に連結されることで、当該ドラム４を回転駆動することができるものである。そして、当該ダイヤル５は、その中央部に軸穴５１を有しており、当該ダイヤル５の下面における前記軸穴５１の周囲にダイヤル歯５２が環状に複数個配置されて突出形成されている。
このダイヤル歯５２は、前記ドラム歯４６と噛み合うように係合することで、前記ドラム４とダイヤル５とを物理的に連結するものであり、ダイヤル５の回転をドラム４に伝達することができるとともに、両者が連結されている場合においてはダイヤル５が回転しない限りドラム４が回転できないようになっている。
また、前記ダイヤル５は、その外周縁部が下向きの円筒状に形成され、さらに、下端部側ほど斜状に外面が縮径するように設けられたスカート部５３を有しており、当該スカート部５３が前記環状ギヤ３６の周囲を覆うようになっている。
【００２２】
前記ダイヤル５は、前記スカート部５３の内側位置に４本のバネ部５４を有しており、当該バネ部５４は、ダイヤル５と同一中心円上にて等間隔で弧状に形成されて配置され、当該ダイヤル５と一体成形されている。
従って、これらの弧状のバネ部５４は、前記円筒状の環状壁３２と同一中心円上に配置されることとなり、ダイヤル５の径方向のサイズを大きくすることなくダイヤル５内のスペースを有効活用してバネ部５４を配置することができる。
前記バネ部５４は、板状又は棒状に形成されており、その基端部がダイヤル５と連結され、先端部に径方向内側を向いた爪５４ａを備えている。そして、前記爪５４ａは、前記バネ部５４が弾性変形することで、前記環状ギヤ３６の歯３６ａを乗り越えるように径方向外側に向けて動くことができるようになっている。
【００２３】
なお、前記環状に形成されたスカート部５３は、前記弧状のバネ部５４の可動範囲（バネ部５４が損傷しないで動作できる範囲）の外側を囲うように形成されており、前記環状ギヤ３６を保護するとともに、爪５４ａ及びバネ部５４を保護できるようになっている。
さらに、前記スカート部５３によって巻取装置１の外観を向上させ、また、ダイヤル５の操作性を高めることができる。
【００２４】
前記爪５４ａは、前記環状ギヤ３６の歯３６ａと噛み合うように係合することで、ダイヤル５が一方向にのみ回転可能となるように制御することができるようになっている。
即ち、前記環状ギヤ３６と前記爪５４ａ及びバネ部５４は、ラチェット機構を構成し、前記靴紐２を巻き付けて締め付ける方向にのみ前記ダイヤル５が回転できるように、前記環状ギヤ３６の水平方向断面は「鋸歯状」に形成されている。
【００２５】
前記ダイヤル５は、その回転軸方向に沿って移動可能となっており、前記ドラム歯４６と前記ダイヤル歯５２とが噛合して前記ダイヤル５の回転を前記ドラム４に伝達できるロック状態と、前記ドラム歯４６と前記ダイヤル歯５２とが離れて前記ドラム４が自由に回転できるように前記ダイヤル５から前記ドラム４を物理的に切り離した解除状態とを実現することができるようになっている。
【００２６】
前記軸部材６は、前記ダイヤル５を前記ベース部材３に対して回転自在に装着するために、ネジ８によって前記ベース部材３に回転可能な状態にて固定されるものであって、前記ダイヤル５を前記ドラム４に接近させたロック位置と当該ドラム４から離した解除位置との間で移動可能な状態で保持し案内することができるようになっている。
また、前記軸部材６は、円柱状に形成されており、その軸心方向と直交する方向にて当該軸部材６の上端部付近外面の向き合った部分を切り欠いて形成した軸受部６１を有している。
この軸受部６１に対し、バネ部材７に形成した直線状の一端部（軸部７１）が挿入されることで、当該バネ部材７を回動可能に軸支するようになっている。即ち、前記バネ部材７は、前記軸部材６を中心としてその約１８０度離間した位置に各１個配置されている。
【００２７】
前記バネ部材７は、全体が略Ｕ字形に湾曲形成されており、前記ダイヤル５の前記軸穴５１と隣接して形成されたバネ収納部５５に配置されるものであって、湾曲した他端部７２が、前記バネ収納部５５の内面に常時当接するようになっている。
そして、前記ダイヤル５がロック位置から解除位置まで移動することで、前記ドラム４をロック状態から解除状態に切替可能としている。
【００２８】
さらに、当該ロック位置と解除位置との間の位置に前記バネ部材７の他端部７２が最も強く軸部材６側に圧縮される反転位置が存在するように設定されている。
従って、前記ダイヤル５は、ロック位置と解除位置との間で明確に切り替わり、前記ドラム４がロック状態にあるか解除状態にあるかを簡単に知ることができるようになっている。
【００２９】
前記ダイヤル５の上側には、円盤状のカバー部材９が嵌合し、巻取装置１の内部を保護し、ゴミなどが入り込まないようになっている。
なお、カバー部材９の中央部には透孔９ａが形成されており、この透孔９ａを介してカバー部材９の内側（下側）のネジ８を操作してベース部材３からドラム４、ダイヤル５、軸部材６、バネ部材７及びネジ８を取り外せるようになっている。
従って、上記のように構成された巻取装置１においては、ドラム収納部３３内に配置される装置の構造を簡素化することができ、巻取装置１の内部の信頼性及び耐久性を高め、かつ、部品点数を減少することができるばかりか、巻取装置１の上下方向のサイズをコンパクト化することもできる。
【００３０】
次に、上記にて説明した巻取装置１の各部品を組み付けて製造する方法について説明する。
まず、巻取装置１のベース部材３に形成した２ヶ所の紐出口３５にそれぞれ靴紐２の先端を挿入し、ドラム収納部３３の内側からその靴紐２の両端部を引き出す。
そして、ドラム４に６ヶ所設けた紐挿通孔４５に靴紐２の各先端を縫うようにして３回ずつ順次挿通することで、靴紐２の両端をドラム４に固定した後、ドラム４をドラム収納部３３内に配置する。
【００３１】
次に、軸部材６の軸受部６１にバネ部材７の一端部（軸部７１）を取り付けた後、それらをダイヤル５の上側から嵌め込むことで、ダイヤル５に軸部材６及びバネ部材７を組み付ける。
ここで、軸部材６の上端部に径方向外側に向けて突出形成したフランジ部６２がダイヤル５の軸穴５１の周囲に当接するため、ダイヤル５が軸部材６から外れることはない。
上記手順にてダイヤル５、軸部材６及びバネ部材７を組み付けた後、ネジ８を軸部材６の軸心に沿って透設したネジ挿入孔６３に挿通し、軸部材６などをベース部材３に装着する。
【００３２】
最後にカバー部材９をダイヤル５に嵌め込むことで、巻取装置１を組み付けることができる。
メンテナンス又は修理のために巻取装置１を分解する際には、カバー部材９の透孔９ａからネジ回しを挿入し、ネジ８を外すことで、組み付けられたダイヤル５、軸部材６及びバネ部材７をベース部材３から取り外すことができる。
【００３３】
なお、本実施形態の巻取装置１において各部材を構成する材料としては、強度、耐久性及び弾力性などを考慮し、一例として以下のものを用いたが、これらの材料に限定されるものではない。
ベース部材３・・・ナイロン
ドラム４、軸部材６・・・ＰＯＭ（ポリアセタール）
ダイヤル５・・・ナイロンとその周囲にＴＰＥ（熱可塑性エラストマー）
バネ部材７・・・ステンレス鋼
ネジ８・・・炭素鋼
カバー部材９・・・ＡＢＳ樹脂
【００３４】
上記のように構成された巻取装置１の使用方法について説明する。
靴Ｓを履いた後に、靴紐２を締め付けるには、図６及び図８に示すように、巻取装置１のダイヤル５を前記ベース部材３及びドラム４に接近させたロック位置にてダイヤル５を回転操作し、靴紐２をドラム４に巻き付ける。
この場合、ダイヤル５の爪５４ａは、靴紐２を締め付ける方向についてのみ環状ギヤ３６の歯３６ａを乗り越えることができ、靴紐２が緩む方向については爪５４ａが環状ギヤ３６を乗り越えることができないため、靴紐２が緩む方向にドラム４が回転することはない。
【００３５】
また、ロック位置と解除位置の間の位置に前記バネ部材７が最も強く圧縮される反転位置を設定してあるため、ダイヤル５がロック位置にある状態では、バネ部材７がダイヤル５を下方へ付勢しており、ダイヤル５をロック位置に保持する。
【００３６】
次に、靴紐２の締め付けを緩めるには、巻取装置１のダイヤル５を上側へ引く。
この時、バネ部材７は圧縮され、その反発力に抗してさらに上側にダイヤル５を引くことで、前記バネ部材７が最も強く圧縮される反転位置を越え、前記ロック位置と解除位置との間でバネ部材７が圧縮される方向が切り替わることにより、ダイヤル５をベース部材３及びドラム４から離した解除位置に移動させる（図７及び図９に示す状態）。
【００３７】
前記バネ部材７の他端部７２は、前記ダイヤル５の軸穴５１と隣接して設けられたバネ収納部５５の内面と常時当接しており、部品の摩耗を防ぐことができる。
上記のように前記ダイヤル５がロック位置から解除位置に移動すると、ドラム４のドラム歯４６とダイヤル５のダイヤル歯５２との噛合がスムーズに解除され、ドラム４が自由に回転できるようになり、靴紐２が緩められる。
【００３８】
逆に、前記ダイヤル５を解除位置からロック位置に移動させるように下方へ押さえ付けると、前記バネ部材７が最も強く圧縮される反転位置を逆向きに越え、ドラム４のドラム歯４６とダイヤル５のダイヤル歯５２とが再び噛合することとなるため、ドラム４に靴紐２を巻き取って靴紐２を締め付けることが可能となる。
【００３９】
なお、本明細書中において、「ダイヤル」とは、ドラム４を回転駆動するための操作部として機能するものであれば特にその外形状が限定されるものではなく、多角形状のものであってもよい。
【００４０】
本発明の巻取装置は、バネ部材７が反転位置を越えることが無いように構成し、バネ部材７によってダイヤル５を常時ロック位置（ロック状態）に付勢するようにして、具体化することもできる。
この場合、前記ダイヤル歯５２を前記ドラム４のドラム歯４６から切り離して前記ドラム４が自由に回転できる解除状態は、ダイヤル５を上に持ち上げている間に限られ、ダイヤル５から手を離せば直ちにロック位置に戻されることになる。
さらに、かかる実施形態においては、巻取装置の上下方向のサイズをより一層小型化することが可能となる。
【００４１】
本発明の巻取装置は、図２に示すように靴Ｓの甲部に配置した巻取装置１に限定されるものではなく、靴Ｓの異なる部分を締め付ける靴紐２を締め付けるための巻取装置に具体化して実施してもよい。
【００４２】
本発明の巻取装置は、他の実施形態として、前記バネ部５４を設けていないダイヤルを用いて具体化してもよい。
この実施形態においては、前記実施形態とは異なり、爪５４ａが環状ギヤ３６の歯３６ａを乗り越え、ダイヤル５が一方向にのみ回転できるようにするために、以下のような構成の１つ又は複数を適宜採用するとよい。
【００４３】
１．環状ギヤ３６の形状、寸法又は材質を変更することで、環状ギヤ３６の弾性を高める。
２．爪５４ａの形状、寸法又は材質を変更することで、爪５４ａ自体の弾性を高める。
３．環状ギヤ３６の歯３６ａ及び爪５４ａを小さくするとともに、爪５４ａの数を増やして個々の爪５４ａに加わる力を弱める。
４．環状ギヤ３６及び爪５４ａの係合する角度を変更する。
【００４４】
本発明の巻取装置は、他の実施形態として、ダイヤル５とバネ部５４及び爪５４ａを一体成形したものを採用するのではなく、バネ部５４及び爪５４ａを備えた別体の環状の部材を前記ダイヤル５と一体化するように組み付けることで爪を備えたダイヤルを有する巻取装置として具体化してもよい。
上記実施形態の巻取装置においては、バネ部に不具合が生じた場合に、バネ部及び爪  を備えた環状の部材を交換することで、不具合を簡単に解消することができる。
【００４５】
さらに、本発明は、靴紐以外の紐、例えば、鞄、服、救命胴衣、帽子、身体に装着する保護具などの紐を巻き取って締め付けるための巻取装置として具体化して実施したり、その趣旨を逸脱しない範囲で巻取装置の各部の材質、形状、寸法、角度、配置、数などを適宜変更して実施してもよい。
例えば、環状ギヤ３６、歯３６ａ、ドラム歯４６、ダイヤル歯５２、バネ部５４又は爪５４ａの形状や数を変更して実施してもよい。
【産業上の利用可能性】
【００４６】
本発明は、小型・軽量であって、耐久性、操作性及びメンテナンス性に優れた巻取装置として産業上好適に利用可能である。
【符号の説明】
【００４７】
１      巻取装置
２      靴紐
３      ベース部材
３１    フランジ
３２    環状壁
３３    ドラム収納部
３４    回転軸
３５    紐出口
３６    環状ギヤ
３６ａ  歯
４      ドラム
４１    紐巻取部
４２    回転軸部
４３    凹部
４４    係止突起
４５    紐挿通孔
４６    ドラム歯
５      ダイヤル
５１    軸穴
５２    ダイヤル歯
５３    スカート部
５４    バネ部
５４ａ  爪
５５    バネ収納部
６      軸部材
６１    軸受部
６２    フランジ部
６３    ネジ挿入孔
７      バネ部材
７１    軸部（一端部）
７２    他端部
８      ネジ
９      カバー部材
９ａ    透孔
Ｓ    靴
【図１】
2018121920.tif 000003
【図２】
2018121920.tif 000004
【図３】
2018121920.tif 000005
【図４】
2018121920.tif 000006
【図５】
2018121920.tif 000007
【図６】
2018121920.tif 000008
【図７】
2018121920.tif 000009
【図８】
2018121920.tif 000010
【図９】
2018121920.tif 000011